(57)【特許請求の範囲】
【請求項１】
複数段に積み重ねられたトイレットペーパーロールを包装するためのプラスチックフィルム製包装袋であって、
前面と、後面と、前面及び後面に連結された一対の側面と、を備え、これら側面は内向きに折り畳まれて前面と後面との間に配置され、
包装袋の上端周りには、横方向に拡がるシール部分が形成され、シール部分はユーザが指を掛けるための指掛け部分を備え、
シール部分と、トイレットペーパーロール包装時にロールを包囲する包囲部分との間の中間部分に、一対の基準線に沿って形成されたミシン目が形成され、
各基準線は、包装袋の側縁から横方向にかつ内向きに延びる横方向部分と、横方向部分の内端から下方に傾斜しつつ更に内向きに延びる傾斜部分と、を含み、
これら傾斜部分の内端同士はミシン目不存在領域によって互いに離間されている、
包装袋。
【請求項２】
傾斜部分に沿うミシン目の切断部分が傾斜部分に交互に逆向きの傾斜でもって交差している、請求項１に記載のトイレットペーパーロールの包装袋。
【請求項３】
横方向部分に沿うミシン目の切断部分が横方向部分にほぼ平行である、請求項１又は２に記載のトイレットペーパーロールの包装袋。
【請求項４】
横方向部分と傾斜部分とのなす角が約８°である、請求項１から３までのいずれか一項に記載のトイレットペーパーロールの包装袋。
【請求項５】
傾斜部分に沿うミシン目の切断部分の長さが横方向部分に沿うミシン目の切断部分の長さよりも短い、請求項１から４までのいずれか一項に記載のトイレットペーパーロールの包装袋。
【発明の詳細な説明】
【技術分野】
【０００１】
本発明はトイレットペーパーロールの包装袋に関する。
【背景技術】
【０００２】
複数段に積み重ねられたトイレットペーパーロールを包装するためのプラスチックフィルム製包装袋であって、前面と、後面と、前面及び後面に連結された一対の側面と、を備え、これら側面は内向きに折り畳まれて前面及び後面間に配置され、包装袋の上端が、横方向に拡がるシール部分によって封止され、シール部分が、ユーザが指を掛けるための一対の指掛け穴を有し、これら指掛け穴同士の間に縦方向に延びる開封用のミシン目を設けた、トイレットペーパーロールの包装袋が公知である（特許文献１参照）。特許文献１では、包装袋の強度を低下させることなく開封を容易にするために、上述のようなミシン目を形成している。
【先行技術文献】
【特許文献】
【０００３】
【特許文献１】登録実用新案第３０１６７１５号公報
【発明の概要】
【発明が解決しようとする課題】
【０００４】
しかしながら、特許文献１では、包装袋が縦方向に破断されるので、包装袋に形成される取り出し口は必ずしも大きくない。包装袋の破断長さを長くすれば、取り出し口が大きくなるけれども、このようにすると、包装袋が袋の形をなさなくなり、袋として再利用するのが困難になる。
【課題を解決するための手段】
【０００５】
本発明によれば、複数段に積み重ねられたトイレットペーパーロールを包装するためのプラスチックフィルム製包装袋であって、前面と、後面と、前面及び後面に連結された一対の側面と、を備え、これら側面は内向きに折り畳まれて前面と後面との間に配置され、包装袋の上端周りには、横方向に拡がるシール部分が形成され、シール部分はユーザが指を掛けるための指掛け部分を備え、シール部分と、トイレットペーパーロール包装時にロールを包囲する包囲部分との間の中間部分に、一対の基準線に沿って形成されたミシン目が形成され、各基準線は、包装袋の側縁から横方向にかつ内向きに延びる横方向部分と、横方向部分の内端から下方に傾斜しつつ更に内向きに延びる傾斜部分と、を含み、これら傾斜部分の内端同士はミシン目不存在領域によって互いに離間されている、包装袋が提供される。
【発明の効果】
【０００６】
包装袋の強度を低下させることなくかつ袋の形を維持しつつ、包装袋に大きな取り出し口を形成することができる。
【図面の簡単な説明】
【０００７】
【図１】包装袋の平面図である。
【図２】包装袋の底面図である。
【図３】包装品の斜視図である。
【図４】ミシン目の拡大図である。
【図５】包装袋の開封動作を説明する図である。
【発明を実施するための形態】
【０００８】
図１及び図２を参照すると、トイレットペーパーロールを包装するための包装袋１は、縦方向Ｌに細長い四角形をなしている。
【０００９】
包装袋１は、前面２と、後面３と、一対の側面４とを備える。各側面４は対応する縦方向Ｌの折り目線５を介して前面２及び後面３に連結される。各側面４は、縦方向Ｌの折り目線４Ｆ，５に沿いつつ内向きに折り畳まれて前面２及び後面３との間に配置され、したがって包装袋１は扁平状をなしている。なお、側面４はガセットとして機能する。
【００１０】
包装袋１の上端１Ｕ周りには、シール部分６が形成され、このシール部分６は縦方向Ｌに直交する横方向Ｔに拡がっている。図１に示される例では、シール部分６は互いに離間して設けられた複数の熱シール部分７を備えている。すなわち、これら熱融着部分７により前面２，後面３及び側面４が一体的に接合され、したがって包装袋１の上端が通気可能に封止される。なお、包装袋１の下端１Ｌは開放されている。
【００１１】
また、シール部分６の横方向Ｔのほぼ中央には、ユーザが指を掛けるための一対の指掛け部分８が形成される。各指掛け部分８には、前面２から側面４を通過して後面３に到る一対の半円状切断線が形成される。ユーザによりシール部分６が破断されこれら切断線が互いに連続されると、シール部分６に貫通穴が形成される。ユーザはこれら貫通穴に指を掛けて包装品（後述する）を持ち運ぶことができる。
【００１２】
開放下端１Ｌを介して包装袋１内にトイレットペーパーロールが収容され、次いで下端１Ｌが例えば熱シールによって封止される。その結果、図３に示されるような包装品Ｐが形成される。
【００１３】
図３に示される例では、トイレットペーパーロールＲは３段に積み重ねられており、各段は、中心軸が鉛直方向になるようにかつ正方形状に整列された４つのトイレットペーパーロールＲを含んでいる。したがって、包装品Ｐには１２個のトイレットペーパーロールＲが収容されている。なお、包装袋１に収容されるトイレットペーパーロールＲの数や配列はこれらに限定されない。
【００１４】
包装品ＰにおいてトイレットペーパーロールＲを包囲する包装袋１の筒状部分を包囲部分９と称し、シール部分６と包囲部分９との間の部分を中間部分１０と称すると、中間部分１０は包装品Ｐにおいて、トイレットペーパーＲの上方に三角柱状の空間を画定する。
【００１５】
この中間部分１０には、図１にも示されるように、ミシン目１１が形成される。
【００１６】
ミシン目１１は一対の基準線１２に沿って形成される。各基準線１２は図４に示されるように、包装袋１の側縁すなわち折り目線５から横方向Ｔにかつ内向きに延びる横方向部分１２Ｔと、横方向部分１２Ｔの内端１２ＴＥから下方に傾斜しつつ更に内向きに延びる傾斜部分１２Ｓとを含む。ここで、横方向部分１２Ｔと傾斜部分１２Ｓとのなす角θは約８°である。なお、本発明による実施例では、一対の基準線１２は鏡像的に形成される。
【００１７】
横方向部分１２Ｔに沿うミシン目１１の切断部分１１Ｔは横方向部分１２Ｔに対しほぼ平行である。これに対し、傾斜部分１２Ｓに沿うミシン目１１の切断部分１１Ｓは、傾斜部分１２Ｓに交互に逆向きの傾斜でもって交差する。
【００１８】
更に、本発明による実施例では、切断部分１１Ｓの長さＬＳは切断部分１１Ｔの長さＬＴよりも短い。
【００１９】
しかも、傾斜部分１２Ｓの内端１２ＳＥ同士は、ミシン目が形成されていないミシン目不存在領域１３によって互いに離間されている。
【００２０】
なお、ミシン目１１の切断部分１１Ｔ，１１Ｓは前面２から側面４を通過して後面３に到っている。
【００２１】
包装袋１はプラスチックフィルムから構成される。プラスチックとして、例えばリニアロウデンポリエチレン及びロウデンポリエチレンを配合したもの、ポリプロピレン、ハイデンポリエチレンなどを用いることができる。
【００２２】
また、本発明による実施例では、包装袋１の配向方向は縦方向Ｌにほぼ一致している。もっとも、包装袋１の配向方向は基準線１２に沿うのが好ましい。
【００２３】
使用時、包装袋１はミシン目１１に沿って破断され、開封される。すなわち、まず、図５（Ａ）に示されるように、包装袋１の一側においてシール部分６及び中間部分１０がユーザにより保持され、次いでシール部分６が矢印の方向に引っ張られる。その結果、包装袋１がミシン目１１に沿って部分的に破断される。
【００２４】
次いで、図５（Ｂ）に示されるように、包装品Ｐの他側においてシール部分６及び中間部分１０がユーザにより保持され、次いでシール部分６が矢印の方向に引っ張られる。その結果、包装袋１がミシン目１１に沿って部分的に更に破断される。
【００２５】
次いで、図５（Ｃ）に示されるように、シール部分６が中間部部分１０から引きちぎられる。その結果、包装袋１が開封される。
【００２６】
このようにすると、包装袋１に大きな開口を形成することができる。したがって、トイレットペーパーロールＲを包装袋１から容易に取り出すことができる。
【００２７】
この場合、包装袋１にミシン目１１が形成されているので、ハサミ等の道具を用いることなく、包装袋１を容易に破断することができる。特に、ミシン目１１が基準線１２の横方向部分１２Ｔに沿って形成されており、切断部分１１Ｔが横方向部分１２Ｔに対しほぼ平行であり、切断部分１１Ｔの長さＬＴが比較的長いので、ミシン目１１の破断を容易に開始することができる。
【００２８】
しかも、開封された後の包装袋１が袋の形を維持することができる。したがって、包装袋１を例えばゴミ袋として、容易に再利用することができる。
【００２９】
一方、ミシン目１１が基準線１２の傾斜部分１２Ｓに沿って形成されており、傾斜部分１２Ｓに沿うミシン目１１の切断部分１１Ｓが傾斜部分１２Ｓに交互に逆向きの傾斜でもって交差している。また、切断部分１１Ｓの長さＬＳが比較的短く、横方向部分１２Ｔと傾斜部分１２Ｓとのなす角θが約８°である。しかも、傾斜部分１２Ｓの内端１２ＳＥ同士はミシン目不存在領域１３によって互いに離間されている。その結果、ミシン目１１を形成したことによる包装袋１の強度低下が抑制される。すなわち、包装品Ｐの持ち運び時に包装袋１がミシン目１１に沿って破断するのが抑制され、したがって内容物であるトイレットペーパーロールＲが清潔に維持される。
【符号の説明】
【００３０】
１    包装袋
２    前面
３    後面
４    側面
６    シール部分
１０    中間部分
１１    ミシン目
１２    基準線
１２Ｔ    横方向部分
１２Ｓ    傾斜部分
１３    ミシン目不存在領域
Ｐ    包装品
Ｒ    トイレットペーパーロール
【図１】
0005693347.tif 000002
【図２】
0005693347.tif 000003
【図３】
0005693347.tif 000004
【図４】
0005693347.tif 000005
【図５】
0005693347.tif 000006